(57)【要約】【課題】部品数が少なく、レンズ群の径方向への光学機器の大型化を抑えることができるレンズ群移動機構と、それを備えた光学機器を提供する。【解決手段】第３レンズ群Ｌ３をフォーカス移動させるレンズ群移動機構Ｘ１は、固定筒２，移動枠３，移動玉枠６，付勢部材７，中間部材８を有する。移動玉枠６は第３レンズ群Ｌ３を保持し、固定筒２は移動玉枠６を光軸ＡＸ方向に移動可能に保持する。移動枠３は固定筒２に対する相対的な位置が変化するように光軸ＡＸ方向に移動可能であり、直進溝２ａとカム溝４ａに対するカムフォロア５の係合により構成されるカム機構で、移動枠３を光軸ＡＸ方向に移動させる。付勢部材７は移動玉枠６を中間部材８の方向に付勢し、中間部材８は移動枠３及び移動玉枠６に接触した状態で移動枠３の移動を移動玉枠６に伝える。【選択図】図１
2019135516.tif 000002
【特許請求の範囲】
【請求項１】
複数枚のレンズからなる光学系において、そのうちの少なくとも１枚のレンズからなるレンズ群を移動させるためのレンズ群移動機構であって、
前記レンズ群を保持する移動玉枠と、
前記移動玉枠を光軸方向に移動可能に保持する固定筒と、
前記固定筒に対する相対的な位置が変化するように光軸方向に移動可能な移動枠と、
前記移動枠が光軸方向に移動するように作用する移動構造と、
前記移動枠及び前記移動玉枠に接触した状態で前記移動枠の移動を前記移動玉枠に伝える中間部材と、
前記移動玉枠を前記中間部材の方向に付勢する付勢部材と、
を有することを特徴とするレンズ群移動機構。
【請求項２】
前記固定筒に直進溝が設けられており、
前記固定筒に対して回転可能であってカム溝が設けられたカム筒と、
前記直進溝及び前記カム溝との係合状態で前記移動枠に取り付けられたカムフォロアと、を更に有し、
前記移動構造が、前記直進溝及び前記カム溝に対する前記カムフォロアの係合により構成されることを特徴とする請求項１記載のレンズ群移動機構。
【請求項３】
前記移動構造が、前記固定筒と前記移動枠とに設けられたヘリコイドにより構成されることを特徴とする請求項１記載のレンズ群移動機構。
【請求項４】
前記移動枠と前記移動玉枠との間に位置する構成物が光軸方向に貫通した穴を有し、前記中間部材が前記穴を貫通することを特徴とする請求項１〜３に記載のレンズ群移動機構。
【請求項５】
前記移動玉枠が、前記固定筒又は前記固定筒に締結された部品との嵌合により保持されることを特徴とする請求項１〜４のいずれか１項に記載のレンズ群移動機構。
【請求項６】
前記移動玉枠に保持されているレンズ群が焦点補正レンズであり、前記移動玉枠の移動により前記光学系のフォーカス調整が可能になることを特徴とする請求項１〜５のいずれか１項に記載のレンズ群移動機構。
【請求項７】
前記移動構造に対する駆動力の入力部を更に有し、光軸方向において前記入力部と前記移動玉枠との間に、前記光学系を取り付けるための光学系取付部が設けられていることを特徴とする請求項１〜６のいずれか１項に記載のレンズ群移動機構。
【請求項８】
前記中間部材が、前記移動枠又は前記移動玉枠と一体化された同一部品であることを特徴とする請求項１〜７のいずれか１項に記載のレンズ群移動機構。
【請求項９】
前記光学系と、請求項１〜８のいずれか１項に記載のレンズ群移動機構と、を備えたことを特徴とする光学機器。
【発明の詳細な説明】
【技術分野】
【０００１】
本発明はレンズ群移動機構及び光学機器に関するものであり、例えば、フォーカス用のレンズ群を移動させるためのレンズ群移動機構と、それを備えた光学機器に関するものである。
【背景技術】
【０００２】
光学機器（プロジェクター，デジタルカメラ等）には、光学系のフォーカシングやズーミングのためにレンズ群を移動させる機構が搭載されるが、機能上、駆動部とレンズ群とを離して配置することが必要な場合がある。例えば特許文献１に記載のレンズ群移動機構では、駆動モーターをレンズ群から光軸方向に離して配置して、駆動モーターの回転力をバーに伝達し、バーの回転に伴ってレンズ群を光軸方向に移動させる構成を採用することで、振動の影響や重量バランスの不均衡を防いでいる。
【先行技術文献】
【特許文献】
【０００３】
【特許文献１】特開平８−５８９１号公報
【発明の概要】
【発明が解決しようとする課題】
【０００４】
しかしながら、特許文献１に記載のレンズ群移動機構では、移動させるレンズ群の外側に歯車やヘリコイド機構を設ける必要があるため、レンズ群の径方向に光学機器が大型化してしまう。また、部品数が多くなるため、組立性の悪化やコストの増大を招くおそれもある。
【０００５】
本発明はこのような状況に鑑みてなされたものであって、その目的は、部品数が少なく、レンズ群の径方向への光学機器の大型化を抑えることができるレンズ群移動機構と、それを備えた光学機器を提供することにある。
【課題を解決するための手段】
【０００６】
上記目的を達成するために、第１の発明のレンズ群移動機構は、複数枚のレンズからなる光学系において、そのうちの少なくとも１枚のレンズからなるレンズ群を移動させるためのレンズ群移動機構であって、
前記レンズ群を保持する移動玉枠と、
前記移動玉枠を光軸方向に移動可能に保持する固定筒と、
前記固定筒に対する相対的な位置が変化するように光軸方向に移動可能な移動枠と、
前記移動枠が光軸方向に移動するように作用する移動構造と、
前記移動枠及び前記移動玉枠に接触した状態で前記移動枠の移動を前記移動玉枠に伝える中間部材と、
前記移動玉枠を前記中間部材の方向に付勢する付勢部材と、
を有することを特徴とする。
【０００７】
第２の発明のレンズ群移動機構は、上記第１の発明において、前記固定筒に直進溝が設けられており、
前記固定筒に対して回転可能であってカム溝が設けられたカム筒と、
前記直進溝及び前記カム溝との係合状態で前記移動枠に取り付けられたカムフォロアと、を更に有し、
前記移動構造が、前記直進溝及び前記カム溝に対する前記カムフォロアの係合により構成されることを特徴とする。
【０００８】
第３の発明のレンズ群移動機構は、上記第１の発明において、前記移動構造が、前記固定筒と前記移動枠とに設けられたヘリコイドにより構成されることを特徴とする。
【０００９】
第４の発明のレンズ群移動機構は、上記第１〜第３のいずれか１つの発明において、前記移動枠と前記移動玉枠との間に位置する構成物が光軸方向に貫通した穴を有し、前記中間部材が前記穴を貫通することを特徴とする。
【００１０】
第５の発明のレンズ群移動機構は、上記第１〜第４のいずれか１つの発明において、前記移動玉枠が、前記固定筒又は前記固定筒に締結された部品との嵌合により保持されることを特徴とする。
【００１１】
第６の発明のレンズ群移動機構は、上記第１〜第５のいずれか１つの発明において、前記移動玉枠に保持されているレンズ群が焦点補正レンズであり、前記移動玉枠の移動により前記光学系のフォーカス調整が可能になることを特徴とする。
【００１２】
第７の発明のレンズ群移動機構は、上記第１〜第６のいずれか１つの発明において、前記移動構造に対する駆動力の入力部を更に有し、光軸方向において前記入力部と前記移動玉枠との間に、前記光学系を取り付けるための光学系取付部が設けられていることを特徴とする。
【００１３】
第８の発明のレンズ群移動機構は、上記第１〜第７のいずれか１つの発明において、前記中間部材が、前記移動枠又は前記移動玉枠と一体化された同一部品であることを特徴とする。
【００１４】
第９の発明の光学機器は、前記光学系と、上記第１〜第８のいずれか１つの発明に係るレンズ群移動機構と、を備えたことを特徴とする。
【発明の効果】
【００１５】
本発明によれば、移動枠の移動を中間部材で移動玉枠に伝えてレンズ群を移動させる構成になっているため、部品数が少なく、レンズ群の径方向への光学機器の大型化を抑えることができる。例えば、レンズ群が移動構造から離れて位置する場合でも、歯車やヘリコイド機構をレンズ群や移動玉枠の外側に設ける必要がないため、レンズ群の径方向への光学機器の大型化を防ぐことができ、光学機器（プロジェクター，デジタルカメラ等）の本体内部のようにスペースの限られた箇所に配置されているレンズ群でも移動させることができる。また、部品数が少ないため、組立性の向上やコストの低減も可能である。
【図面の簡単な説明】
【００１６】
【図１】第１，第２の実施の形態（カムタイプの移動構造）の概略構成を２つのフォーカスポジションで示す断面図。
【図２】第３，第４の実施の形態（ヘリコイドタイプの移動構造）の概略構成を２つのフォーカスポジションで示す断面図。
【図３】第１，第３の実施の形態（シャフト型の中間部材）における図１，図２のＶ−Ｖ’線断面図。
【図４】第２，第４の実施の形態（平板型の中間部材）における図１，図２のＶ−Ｖ’線断面図。
【発明を実施するための形態】
【００１７】
以下、本発明を実施したレンズ群移動機構，プロジェクター等を、図面を参照しつつ説明する。なお、各実施の形態等の相互で同一の部分や相当する部分には同一の符号を付して重複説明を適宜省略する。
【００１８】
図１に、第１，第２の実施の形態に係るレンズ群移動機構Ｘ１，Ｘ２及びプロジェクターＹ１，Ｙ２の概略断面構造を示し、図２に、第３，第４の実施の形態に係るレンズ群移動機構Ｘ３，Ｘ４及びプロジェクターＹ３，Ｙ４の概略断面構造を示す。図１及び図２では光軸ＡＸからの片側の断面のみを示しているので、図１に示す概略断面構造は第１の実施の形態と第２の実施の形態とでほぼ同じになっており、図２に示す概略断面構造は第３の実施の形態と第４の実施の形態とでほぼ同じになっている。プロジェクターＹ１〜Ｙ４は、複数枚のレンズからなる投影光学系ＬＮと、レンズ群移動機構Ｘ１〜Ｘ４と、プロジェクター本体１と、画像表示素子（不図示）と、を備えた光学機器の一例であり、画像表示素子の画像表示面に表示される画像を投影光学系ＬＮでスクリーン面に拡大投影する構成になっている。
【００１９】
投影光学系ＬＮは、第１，第２，第３レンズ群Ｌ１，Ｌ２，Ｌ３からなっており、第１レンズ群Ｌ１は第１玉枠１１に保持されており、第２レンズ群Ｌ２は第２玉枠１２に保持されており、第３レンズ群Ｌ３は移動玉枠（第３玉枠）６に保持されている。最縮小側のレンズからなる第３レンズ群Ｌ３は焦点補正レンズであり、その第３レンズ群Ｌ３を保持する移動玉枠６をレンズ群移動機構Ｘ１〜Ｘ４が移動させることにより、フォーカシングを行う構成になっている。図１及び図２において、（Ｐ１）は移動玉枠６が拡大側（図中左側）にフォーカス移動したときのフォーカスポジションを示しており、（Ｐ２）は移動玉枠６が縮小側（図中右側）にフォーカス移動したときのフォーカスポジションを示している。
【００２０】
レンズ群移動機構Ｘ１〜Ｘ４は、移動玉枠６の他に、移動玉枠６を光軸ＡＸ方向に移動可能に保持する固定筒２と、固定筒２に対する相対的な位置が変化するように光軸ＡＸ方向に移動可能な移動枠３又は移動枠１３と、を有しており、移動玉枠６は固定筒２との嵌合により保持されている。また、プロジェクターＹ１〜Ｙ４には、レンズ群移動のための駆動源としてモーター１０と、その駆動力をレンズ群移動機構Ｘ１〜Ｘ４に入力するためのギア９と、が設けられている。
【００２１】
レンズ群移動機構Ｘ１，Ｘ２では（図１）、固定筒２に直進溝２ａが設けられており、固定筒２に対して回転可能であってカム溝４ａが設けられたカム筒４と、直進溝２ａ及びカム溝４ａとの係合状態で移動枠３に取り付けられたカムフォロア５と、が更に設けられている。そして、移動枠３が光軸ＡＸ方向に移動するように作用する移動構造が設けられており、その移動構造は直進溝２ａ及びカム溝４ａに対するカムフォロア５の係合により構成されている。つまり、固定筒２の外側にカム筒４が嵌合され、移動枠３がカムフォロア５を介して直進溝２ａとカム溝４ａに係合された状態となることにより、カム機構が構成されている。固定筒２に対してカム筒４を回転させると、移動枠３の光軸ＡＸ方向位置が変化する。ここでは、モーター１０とギア９を用いたモーター駆動によりカム筒４の回転を行う構成になっているが、手動でカム筒４の回転を行う構成にしてもよい。
【００２２】
レンズ群移動機構Ｘ３，Ｘ４では（図２）、移動枠１３が光軸ＡＸ方向に移動するように作用する移動構造が設けられており、その移動構造は固定筒２と移動枠１３とに設けられたヘリコイド１３ａにより構成されている。つまり、ヘリコイド機構で移動構造が構成されている。固定筒２に対して移動枠１３を回転させると、移動枠１３の光軸ＡＸ方向位置が変化する。ここでは、モーター１０とギア９を用いたモーター駆動によりカム筒４の回転を行う構成になっているが、手動でカム筒４の回転を行う構成にしてもよい。
【００２３】
レンズ群移動機構Ｘ１，Ｘ３は（図１，図２）、移動枠３，１３及び移動玉枠６に接触した状態で移動枠３，１３の移動を移動玉枠６に伝えるシャフト型の中間部材８と、移動玉枠６を中間部材８の方向に付勢する付勢部材７と、を有している。図３に、レンズ群移動機構Ｘ１，Ｘ３における図１，図２のＶ−Ｖ’線断面構造を示す。また、レンズ群移動機構Ｘ２，Ｘ４は（図１，図２）、移動枠３，１３及び移動玉枠６に接触した状態で移動枠３，１３の移動を移動玉枠６に伝える平板型の中間部材１８と、移動玉枠６を中間部材１８の方向に付勢する付勢部材７と、を有している。図４に、レンズ群移動機構Ｘ２，Ｘ４における図１，図２のＶ−Ｖ’線断面構造を示す。レンズ群移動機構Ｘ１〜Ｘ４では、付勢部材７として圧縮ばねの使用を想定しているが、他の種類のバネやゴム等の弾性部材を用いてもよい。
【００２４】
カムタイプの移動構造とシャフト型の中間部材８を有するレンズ群移動機構Ｘ１では（図１）、３つの中間部材８（図３）において、一端が移動枠３に締結されており、他端が移動玉枠６に非固定で接触している。移動玉枠６は、固定筒２に対して光軸ＡＸ方向に移動可能に嵌合保持されているが、固定筒２に締結された部品に対して光軸ＡＸ方向に移動可能に嵌合保持された構成にしてもよい。また、中間部材８が移動枠３又は移動玉枠６と別部品である必要はなく、移動枠３，移動玉枠６のうちの少なくとも一方と一体化されたものでもよい。中間部材８の数は問わないが、中間部材８が２つ以下の場合は、外乱等による移動玉枠６の傾きを抑えるために、中間部材８の断面形状に留意する必要がある。
【００２５】
レンズ群移動機構Ｘ１では（図１）、移動枠３と移動玉枠６との間に第１玉枠１１と第２玉枠１２が位置しているが、第１玉枠１１には光軸ＡＸ方向に貫通した穴１１ａが設けられており、第２玉枠１２には光軸ＡＸ方向に貫通した穴１２ａが設けられている。中間部材８はこれらの穴１１ａ，１２ａを貫通するように配置されているため、中間部材８と第１，第２玉枠１１，１２とが接触することはなく、レンズ径方向の大型化も回避することができる。そして、移動玉枠６と固定筒２（固定筒２に締結された部品でもよい。）との間に配置されている付勢部材７により、移動玉枠６が常に中間部材８に押し付けられている。移動玉枠６には焦点補正レンズとして機能する第３レンズ群Ｌ３が保持されているため、モーター駆動（又は手動）で固定筒２に対してカム筒４を回転させると、中間部材８と移動玉枠６との接触押圧状態を保ちながら、カム機構により中間部材８と移動玉枠６が光軸ＡＸ方向に移動する。その移動玉枠６の移動により焦点補正レンズ（第３レンズ群Ｌ３）の位置調整を行うことにより、投影光学系ＬＮのフォーカス調整が可能になる。
【００２６】
カムタイプの移動構造と平板型の中間部材１８を有するレンズ群移動機構Ｘ２では（図１）、２つの中間部材１８（図４）において、一端が移動枠３に締結されており、他端が移動玉枠６に非固定で接触している。移動玉枠６は、固定筒２に対して光軸ＡＸ方向に移動可能に嵌合保持されているが、固定筒２に締結された部品に対して光軸ＡＸ方向に移動可能に嵌合保持された構成にしてもよい。また、中間部材１８が移動枠３又は移動玉枠６と別部品である必要はなく、移動枠３，移動玉枠６のうちの少なくとも一方と一体化されたものでもよい。中間部材１８の数は問わないが、中間部材１８が２つ以下の場合は、外乱等による移動玉枠６の傾きを抑えるために、中間部材１８の断面形状に留意する必要がある。レンズ群移動機構Ｘ２では、図４中の縦中心線を軸とした回転傾きを抑えるために、横方向に長い断面形状の中間部材１８を用いている。
【００２７】
レンズ群移動機構Ｘ２では（図１）、移動枠３と移動玉枠６との間に第１玉枠１１と第２玉枠１２が位置しているが、第１玉枠１１には光軸ＡＸ方向に貫通した穴１１ｂが設けられており、第２玉枠１２には光軸ＡＸ方向に貫通した穴１２ｂが設けられている。中間部材１８はこれらの穴１１ｂ，１２ｂを貫通するように配置されているため、中間部材１８と第１，第２玉枠１１，１２とが接触することはなく、レンズ径方向の大型化も回避することができる。そして、移動玉枠６と固定筒２（固定筒２に締結された部品でもよい。）との間に配置されている付勢部材７により、移動玉枠６が常に中間部材８に押し付けられている。移動玉枠６には焦点補正レンズとして機能する第３レンズ群Ｌ３が保持されているため、モーター駆動（又は手動）で固定筒２に対してカム筒４を回転させると、中間部材１８と移動玉枠６との接触押圧状態を保ちながら、カム機構により中間部材１８と移動玉枠６が光軸ＡＸ方向に移動する。その移動玉枠６の移動により焦点補正レンズ（第３レンズ群Ｌ３）の位置調整を行うことにより、投影光学系ＬＮのフォーカス調整が可能になる。
【００２８】
ヘリコイドタイプの移動構造とシャフト型の中間部材８を有するレンズ群移動機構Ｘ３では（図２）、３つの中間部材８（図３）において、一端が移動玉枠６に締結されており、他端が移動枠１３に非固定で接触している。移動玉枠６は、固定筒２に対して光軸ＡＸ方向に移動可能に嵌合保持されているが、固定筒２に締結された部品に対して光軸ＡＸ方向に移動可能に嵌合保持された構成にしてもよい。また、中間部材８が移動枠１３又は移動玉枠６と別部品である必要はなく、移動枠１３，移動玉枠６のうちの少なくとも一方と一体化されたものでもよい。ただし、移動枠１３はモーター駆動により回転するため、中間部材８と移動枠１３との固定又は一体化は避けることが好ましい。中間部材８の数は問わないが、中間部材８が２つ以下の場合は、外乱等による移動玉枠６の傾きを抑えるために、中間部材８の断面形状に留意する必要がある。
【００２９】
レンズ群移動機構Ｘ３では（図２）、移動枠１３と移動玉枠６との間に第１玉枠１１と第２玉枠１２が位置しているが、第１玉枠１１には光軸ＡＸ方向に貫通した穴１１ａが設けられており、第２玉枠１２には光軸ＡＸ方向に貫通した穴１２ａが設けられている。中間部材８はこれらの穴１１ａ，１２ａを貫通するように配置されているため、中間部材８と第１，第２玉枠１１，１２とが接触することはなく、レンズ径方向の大型化も回避することができる。そして、移動玉枠６と固定筒２（固定筒２に締結された部品でもよい。）との間に配置されている付勢部材７により、移動玉枠６及び中間部材８が常に移動枠１３に押し付けられている。移動玉枠６には焦点補正レンズとして機能する第３レンズ群Ｌ３が保持されているため、モーター駆動（又は手動）で固定筒２に対して移動枠１３を回転させると、中間部材８と移動枠１３との接触押圧状態を保ちながら、ヘリコイド機構により中間部材８と移動玉枠６が光軸ＡＸ方向に移動する。その移動玉枠６の移動により焦点補正レンズ（第３レンズ群Ｌ３）の位置調整を行うことにより、投影光学系ＬＮのフォーカス調整が可能になる。
【００３０】
ヘリコイドタイプの移動構造と平板型の中間部材１８を有するレンズ群移動機構Ｘ４では（図２）、２つの中間部材１８（図４）において、一端が移動玉枠６に締結されており、他端が移動枠１３に非固定で接触している。移動玉枠６は、固定筒２に対して光軸ＡＸ方向に移動可能に嵌合保持されているが、固定筒２に締結された部品に対して光軸ＡＸ方向に移動可能に嵌合保持された構成にしてもよい。また、中間部材１８が移動枠１３又は移動玉枠６と別部品である必要はなく、移動枠１３，移動玉枠６のうちの少なくとも一方と一体化されたものでもよい。ただし、移動枠１３はモーター駆動により回転するため、中間部材１８と移動枠１３との固定又は一体化は避けることが好ましい。中間部材１８の数は問わないが、中間部材１８が２つ以下の場合は、外乱等による移動玉枠６の傾きを抑えるために、中間部材１８の断面形状に留意する必要がある。レンズ群移動機構Ｘ４では、図４中の縦中心線を軸とした回転傾きを抑えるために、横方向に長い断面形状の中間部材１８を用いている。
【００３１】
レンズ群移動機構Ｘ４では、移動枠１３と移動玉枠６との間に第１玉枠１１と第２玉枠１２が位置しているが、第１玉枠１１には光軸ＡＸ方向に貫通した穴１１ｂが設けられており、第２玉枠１２には光軸ＡＸ方向に貫通した穴１２ｂが設けられている。中間部材１８はこれらの穴１１ｂ，１２ｂを貫通するように配置されているため、中間部材１８と第１，第２玉枠１１，１２とが接触することはなく、レンズ径方向の大型化も回避することができる。そして、移動玉枠６と固定筒２（固定筒２に締結された部品でもよい。）との間に配置されている付勢部材７により、移動玉枠６及び中間部材１８が常に移動枠１３に押し付けられている。移動玉枠６には焦点補正レンズとして機能する第３レンズ群Ｌ３が保持されているため、モーター駆動（又は手動）で固定筒２に対して移動枠１３を回転させると、中間部材８と移動枠１３との接触押圧状態を保ちながら、ヘリコイド機構により中間部材１８と移動玉枠６が光軸ＡＸ方向に移動する。その移動玉枠６の移動により焦点補正レンズ（第３レンズ群Ｌ３）の位置調整を行うことにより、投影光学系ＬＮのフォーカス調整が可能になる。
【００３２】
上述したレンズ群移動機構Ｘ１〜Ｘ４によれば、移動枠３，１３の移動を中間部材８，１８で移動玉枠６に伝えて第３レンズ群Ｌ３を移動させる構成になっているため、部品数が少なく、第３レンズ群Ｌ３の径方向へのプロジェクターＹ１〜Ｙ４の大型化を抑えることができる。第３レンズ群Ｌ３がカム機構，ヘリコイド機構等の移動構造から離れて位置していても、歯車やヘリコイド機構を第３レンズ群Ｌ３や移動玉枠６の外側に設ける必要がないため、第３レンズ群Ｌ３の径方向へのプロジェクターＹ１〜Ｙ４の大型化を防ぐことができる。
【００３３】
レンズ群移動機構Ｘ１〜Ｘ４では（図１，図２）、カム機構，ヘリコイド機構等の移動構造に対する駆動力の入力部としてギア９が設けられており、光軸ＡＸ方向においてギア９と移動玉枠６との間に、投影光学系ＬＮをプロジェクター本体１に取り付けるための光学系取付部（レンズマウント）１ａが設けられている。つまり、レンズ群移動機構Ｘ１〜Ｘ４では、移動構造を光学系取付部１ａよりも内側に配置することができるため、プロジェクター本体１内のスペースの限られた箇所に配置されている移動玉枠６でも移動させることができる。これはプロジェクターに限らずデジタルカメラ等の光学機器でも同様である。また、部品数が少ないため、組立性の向上やコストの低減も可能である。
【符号の説明】
【００３４】
Ｘ１，Ｘ２，Ｘ３，Ｘ４    レンズ群移動機構
Ｙ１，Ｙ２，Ｙ３，Ｙ４    プロジェクター（光学機器）
１    プロジェクター本体
１ａ    光学系取付部（レンズマウント）
２    固定筒
２ａ    直進溝（移動構造）
３    移動枠
４    カム筒
４ａ    カム溝（移動構造）
５    カムフォロア（移動構造）
６    移動玉枠（第３玉枠）
７    付勢部材
８    中間部材（シャフト型）
９    ギア（駆動力の入力部）
１０    モーター（駆動源）
１１    第１玉枠（構成物）
１２    第２玉枠（構成物）
１１ａ，１１ｂ    穴
１２ａ，１２ｂ    穴
１３    移動枠
１３ａ    ヘリコイド（移動構造）
１８    中間部材（平板型）
ＬＮ    投影光学系（光学系）
Ｌ１    第１レンズ群
Ｌ２    第２レンズ群
Ｌ３    第３レンズ群（焦点補正レンズ）
ＡＸ    光軸
【図１】
2019135516.tif 000003
【図２】
2019135516.tif 000004
【図３】
2019135516.tif 000005
【図４】
2019135516.tif 000006